(57)【要約】【課題】ガスを高圧にすることなくバルーン本体を短時間で膨張展開させることができ、加えて、高圧のガスをバルーン本体の内部に導入する場合であったとしても、バルーン本体が破損する可能性をほとんど皆無とすることが可能であるバルーン装置を提供する。【解決手段】折り畳み可能で且つガスを導入することで膨張して展開するバルーン本体２と、このバルーン本体２にガスを供給して該バルーン本体２を膨張させて展開させるガス供給源４を備えたバルーン装置１において、複数のガス噴出孔５ａを有するインナーバルーン体５をバルーン本体２と二重構造とするべく該バルーン本体２の内部に収容すると共に、該インナーバルーン体５とガス供給源４とを互いに接続した。【選択図】図１
2013141911.tif 000002
【特許請求の範囲】
【請求項１】
折り畳み可能で且つガスを導入することで膨張して展開するバルーン本体と、
このバルーン本体にガスを供給して該バルーン本体を膨張させて展開させるガス供給源を備えたバルーン装置において、
複数のガス噴出孔を有するインナーバルーン体を前記バルーン本体と二重構造とするべく該バルーン本体の内部に収容すると共に、該インナーバルーン体と前記ガス供給源とを互いに接続した
ことを特徴とするバルーン装置。
【請求項２】
前記バルーン本体及び前記インナーバルーン体はいずれもチューブ状を成し、前記インナーバルーン体における前記複数のガス噴出孔は、該インナーバルーン体の長手方向に適宜間隔をおいて形成されている請求項１に記載のバルーン装置。
【請求項３】
前記チューブ状を成すインナーバルーン体に形成されている前記複数のガス噴出孔の長手方向の配置間隔は、前記インナーバルーン体の前記ガス供給源に接続されている部分から離れるにしたがって漸次狭く設定されている請求項２に記載のバルーン装置。
【請求項４】
前記チューブ状を成すインナーバルーン体は、両端が開放されていると共に中央部分が前記ガス供給源に接続されている請求項２又は３に記載のバルーン装置。
【発明の詳細な説明】
【技術分野】
【０００１】
本発明は、例えば、水上における救命浮器として用いるのに好適なバルーン装置に関するものである。
【背景技術】
【０００２】
従来、上記したようなバルーン装置としては、例えば、特許文献１に記載された小型船舶沈没防止用浮器がある。
【０００３】
この小型船舶沈没防止用浮器は、折り畳み可能なバルーン本体と、このバルーン本体内部にバルブを介してガスを供給して折り畳み状態にあるバルーン本体を展開させるボンベを備えており、この小型船舶沈没防止用浮器は、取り付け手段を介して船体へ装着されるようになっている。
【０００４】
この小型船舶沈没防止用浮器のバルーン本体において、通常は折り畳まれて容器内に収容され、一方、緊急時にはボンベからのガスがバルブを通して導入され、膨張して展開することで必要な浮力を得るようになっている。
【先行技術文献】
【特許文献】
【０００５】
【特許文献１】特開2009-161065号公報
【発明の概要】
【発明が解決しようとする課題】
【０００６】
ところが、上記した従来の小型船舶沈没防止用浮器（バルーン装置）において、緊急時にボンベからのガスをバルーン本体に導入する場合、バルブを通してバルーン本体に導入されたガスは、バルブから折り畳まれた状態のバルーン本体の端部に向かって広がることになるので、バルブに近い部位から順次膨張して展開することとなり、バルーン本体が完全に展開するまでに多くの時間がかかってしまう。
【０００７】
この際、ガスの圧力を高めてバルーン本体内部に急激に送り込むようにすると、高圧のガスがバルーン本体のバルブ近傍部位に吹き付けられることとなって、バルーン本体が破損してしまう可能性がないとは言えないという問題を有しており、これらの問題を解決することが従来の課題となっていた。
【０００８】
本発明は、上記した従来の課題に着目してなされたもので、バルーン本体を短時間で膨張展開させることができ、加えて、高圧のガスをバルーン本体の内部に導入する場合であったとしても、バルーン本体が破損する可能性をほとんど皆無とすることが可能であるバルーン装置を提供することを目的としている。
【課題を解決するための手段】
【０００９】
本発明の請求項１に係る発明は、折り畳み可能で且つガスを導入することで膨張して展開するバルーン本体と、このバルーン本体にガスを供給して該バルーン本体を膨張させて展開させるガス供給源を備えたバルーン装置において、複数のガス噴出孔を有するインナーバルーン体を前記バルーン本体と二重構造とするべく該バルーン本体の内部に収容すると共に、該インナーバルーン体と前記ガス供給源とを互いに接続した構成としたことを特徴としており、この構成のバルーン装置を前述の従来の課題を解決するための手段としている。
【００１０】
本発明の請求項２に係るバルーン装置において、前記バルーン本体及び前記インナーバルーン体はいずれもチューブ状を成し、前記インナーバルーン体における前記複数のガス噴出孔は、該インナーバルーン体の長手方向に適宜間隔をおいて形成されている構成としている。
【００１１】
本発明の請求項３に係るバルーン装置において、前記チューブ状を成すインナーバルーン体に形成されている前記複数のガス噴出孔の長手方向の配置間隔は、前記インナーバルーン体の前記ガス供給源に接続されている部分から離れるにしたがって漸次狭く設定されている構成としている。
【００１２】
本発明の請求項４に係るバルーン装置において、前記チューブ状を成すインナーバルーン体は、両端が開放されていると共に中央部分が前記ガス供給源に接続されている構成としている。
【００１３】
本発明に係るバルーン装置は、水上における救命浮器、例えば、救難用のゴムボートとして用いることができるほか、小型船舶や乗員が沈むのを防ぐ浮器として用いることができる。
【００１４】
本発明に係るバルーン装置において、ガスを導入することで折り畳み状態から膨張して展開するバルーン本体及びこのバルーン本体と二重構造を成すインナーバルーン体には、気密性材料がそれぞれ用いられ、例えば、薄膜状の軟質プラスチックや、合成ゴムや、これらを互いに積層させたものを用いることができる。
【００１５】
また、本発明に係るバルーン装置において、バルーン本体にガスを供給して膨張展開させるガス供給源には、高圧の空気や不活性ガスを充填したガスボンベや、車両用エアバッグに採用されているようなガス発生装置を用いることができる。
【００１６】
さらに、本発明に係るバルーン装置において、バルーン本体及びこれと二重構造を成すインナーバルーン体がいずれもチューブ状を成す場合には、インナーバルーン体の直径をバルーン本体の直径の１／３程度とすることが望ましい。
【００１７】
この際、複数のガス噴出孔の配置パターンは、チューブ状を成すインナーバルーン体の全長やガス供給源から供給されるガスの噴出量及び速度に応じて決定され、例えば、複数のガス噴出孔をインナーバルーン体の長手方向に沿う直線上に並べて形成したり、周方向に互いにずらして全体として千鳥状に形成したりすることができるほか、長手方向における複数のガス噴出孔の各配置箇所において、例えば、周方向に９０°の間隔をもって４個ずつ形成するようにしてもよい。
【００１８】
さらにまた、本発明に係るバルーン装置において、バルーン本体がシート状を成す場合には、このシート状のバルーン本体と二重構造とするべく、シート状のインナーバルーン体をバルーン本体の内部に収容してもよいし、複数のチューブ状のインナーバルーン体をバルーン本体の内部に並べて収容するようにしてもよい。
【００１９】
本発明に係るバルーン装置において、折り畳まれた状態のバルーン本体に対してガス供給源からのガスの供給を開始すると、まず、ガスはインナーバルーン体に導入され、このインナーバルーン体に導入されたガスは、インナーバルーン体の複数のガス噴出孔から噴出しつつインナーバルーン体全体に行き渡る。
【００２０】
バルーン本体と二重構造を成すインナーバルーン体は、バルーン本体よりも容積が小さいので、ガスの供給によって素早く膨張して展開することとなり、この間、ガスが複数のガス噴出孔から噴出することとも相俟って、バルーン本体は、このバルーン本体に直接ガスを供給する場合と比べて、短時間で且つ全体的に展開することとなる。
【００２１】
また、ガス供給源からのガスは、一旦インナーバルーン体に導入された後、バルーン本体に導入されるので、ガスの圧力を高めてバルーン本体内部に送り込むようにしたとしても、高圧のガスがバルーン本体のガス導入部近傍部位に吹き付けられることがなく、その結果、バルーン本体が破損してしまうといった懸念が払拭されることとなる。
【００２２】
ここで、バルーン本体及びインナーバルーン体がいずれもチューブ状を成していて、複数のガス噴出孔がインナーバルーン体の長手方向に適宜間隔をおいて形成されている場合において、バルーン本体は、より短時間で且つ全体的に展開することとなる。
【００２３】
この際、複数のガス噴出孔の長手方向の配置間隔が、インナーバルーン体のガス供給源に接続されている部分から離れるにしたがって漸次狭くなるように設定されている場合には、インナーバルーン体のガス供給源との接続部分から離れた部位におけるガス噴出量を多めに確保し得ることとなって、バルーン本体は、効率よく展開することとなり、さらに、チューブ状を成すインナーバルーン体の両端が開放されていて、その中央部分にガスが供給されるようになっている場合には、より一層短時間で且つ全体的に一様に展開することとなる。
【発明の効果】
【００２４】
本発明の請求項１に係るバルーン装置は、上記した構成としているので、バルーン本体を短時間で膨張展開させることが可能であり、加えて、バルーン本体の内部に高圧ガスを導入する場合であったとしても、バルーン本体が破損する可能性をほとんどなくすことが可能であるという非常に優れた効果がもたらされる。
【００２５】
また、本発明の請求項２に係るバルーン装置では、上記した構成としているので、バルーン本体をより短時間で且つ全体的に膨張展開させることが可能であり、本発明の請求項３，４に係るバルーン装置では、上記した構成としているので、バルーン本体をより一層短時間で且つ全体的に一様に膨張展開させることができるという非常に優れた効果がもたらされる。
【図面の簡単な説明】
【００２６】
【図１】本発明に係るバルーン装置の一実施形態を示すバルーン本体を折り畳んだ状態の断面説明図である。
【図２】図１に示したバルーン装置のバルーン本体にガスを導入している状態の断面説明図である。
【図３】図１に示したバルーン装置のバルーン本体を膨張展開させた状態の断面説明図である。
【図４】本発明に係るバルーン装置の他の実施形態を示すバルーン本体を膨張展開させた状態の部分断面説明図である。
【発明を実施するための形態】
【００２７】
以下、本発明に係るバルーン装置を図面に基づいて説明する。
図１〜図３は、本発明に係るバルーン装置の一実施形態を示しており、この実施形態では、本発明に係るバルーン装置を小型船舶や乗員が沈むのを防ぐ浮器として使用する場合を例に挙げて説明する。
【００２８】
図１に示すように、このバルーン装置１は、折り畳み可能で且つガスを導入することで膨張して展開するチューブ状を成すバルーン本体２と、バルブ３を通してバルーン本体２にガスを供給して膨張させて展開させるガス供給源４を備えており、チューブ状を成すバルーン本体２の内部には、このバルーン本体２と同じくチューブ状を成すインナーバルーン体５が収容してあって、バルーン本体２とインナーバルーン体５とは二重構造となっている。
【００２９】
この場合、バルーン本体２及びこのバルーン本体２と二重構造を成すインナーバルーン体５には、いずれも気密性材料としての合成ゴムを用いており、一方、バルーン本体２にガスを供給して膨張展開させるガス供給源４には、車両用エアバッグに採用されているガス発生装置を用いている。
【００３０】
この実施例において、図２及び図３に示すように、インナーバルーン体５の直径はバルーン本体２の直径の約１／３に設定され、また、インナーバルーン体５の長さはバルーン本体２の長さとほぼ等しく設定されており、このインナーバルーン体５の両端はいずれも開放されていて、その中央部分がバルブ３を介してガス供給源４に接続されている。
【００３１】
そして、インナーバルーン体５には、複数のガス噴出孔５ａが長手方向に適宜間隔（例えば、インナーバルーン体５が６〜７ｍの場合には２０〜５０ｃｍの間隔）をおいて形成されており、これらの複数のガス噴出孔５ａはインナーバルーン体５周方向に互い９０°ずつずらして全体として千鳥状に形成されている。
【００３２】
この実施形態に係るバルーン装置１において、図１に示す折り畳まれた状態のバルーン本体２に対してガス供給源４からのガスの供給を開始すると、まず、ガスはインナーバルーン体５に導入され、このインナーバルーン体５に導入されたガスは、図２に示すように、インナーバルーン体５に千鳥状に配置された複数のガス噴出孔５ａから噴出しつつインナーバルーン体５全体に行き渡る。
【００３３】
バルーン本体２と二重構造を成すインナーバルーン体５は、バルーン本体２よりも容積が小さいので、ガスの供給によって素早く膨張して展開することとなり、この間、ガスが複数のガス噴出孔５ａから噴出することとも相俟って、バルーン本体２は、図３に示すように、このバルーン本体２に直接ガスを供給する場合と比べて、短時間で且つ全体的に展開することとなる。
【００３４】
また、ガス供給源４からのガスは、一旦インナーバルーン体５に導入された後、バルーン本体２に導入されるので、ガスの圧力を高めてバルーン本体２の内部に送り込むようにしたとしても、高圧のガスがバルーン本体２のガス導入部近傍部位に吹き付けられることがなく、その結果、バルーン本体２が破損してしまうといった懸念が払拭されることとなる。
【００３５】
さらに、この実施形態に係るバルーン装置１では、バルーン本体２及びインナーバルーン体５にいずれもチューブ状のものを採用したうえで、複数のガス噴出孔５ａをインナーバルーン体５の長手方向にほぼ等しい間隔で且つ千鳥状に配置しているので、バルーン本体２は、より短時間で且つ全体的に展開することとなり、さらにまた、この実施形態に係るバルーン装置１では、チューブ状を成すインナーバルーン体５の両端を開放したうえで、その中央部分がバルブ３を介してガス供給源４に接続されるようにしているので、バルーン本体２は、より一層短時間で且つ全体的に一様に展開することとなる。
【００３６】
上記した実施形態では、本発明に係るバルーン装置を小型船舶や乗員が沈むのを防ぐ浮器として使用する場合を例に挙げて説明したが、これに限定されるものではなく、水上における救難用のゴムボートとして用いることが可能である。
【００３７】
また、上記した実施形態では、バルーン本体２及びインナーバルーン体５に、合成ゴムを用いた場合を示したが、これに限定されるものではなく、他の気密性材料として、薄膜状の軟質プラスチックや、合成繊維布に合成ゴムを互いに積層させたものを用いることができる。
【００３８】
さらに、上記した実施形態では、ガス供給源４としてガス発生装置を用いた場合を示したが、これに限定されるものではなく、高圧の空気や不活性ガスを充填したガスボンベを用いることができる。
【００３９】
さらにまた、上記した実施形態では、複数のガス噴出孔５ａをチューブ状のインナーバルーン体５の長手方向にほぼ等しい間隔で配置した構成としているが、これに限定されるものではなく、他の構成として、例えば、図４に示すように、インナーバルーン体５がチューブ状を成している場合において、複数のガス噴出孔５ａの長手方向の配置間隔Ｄが、ガス供給源４に接続されているバルブ３の近傍部分から端部に向かうにしたがって漸次狭くなるように設定されていてもよい。
【符号の説明】
【００４０】
１    バルーン装置
２    バルーン本体
４    ガス供給源
５    インナーバルーン体
５ａ  ガス噴出孔
Ｄ    ガス噴出孔の長手方向の配置間隔
【図１】
2013141911.tif 000003
【図２】
2013141911.tif 000004
【図３】
2013141911.tif 000005
【図４】
2013141911.tif 000006